(57)【要約】【課題】ユーザが管理方法を設定することで、フォルダが少なくとも自動的に増設されてファイル管理され、ユーザが所望のファイルを探しやすくなる。【解決手段】それぞれがファイルを格納する複数フォルダを記憶する記憶部と、前記記憶部内の前記複数フォルダを管理するフォルダ管理部と、前記フォルダ管理部を通じて、階層構造のフォルダ分類テーブルにしたがって前記複数フォルダを配列管理するとともに、前記複数フォルダ内の各ファイル数が設定した値以上になったとき、下位の階層の新フォルダの増設を行なうライブラリ管理部と、を有することを基本的とする。【選択図】図１
2007334984.tif 000002
【特許請求の範囲】
【請求項１】
それぞれがファイルを格納する複数のフォルダを記憶する記憶部と、
前記記憶部内の前記複数のフォルダを管理するフォルダ管理部と、
前記フォルダ管理部を通じて、階層構造のフォルダ分類テーブルにしたがって前記複数のフォルダを分類管理しており、前記複数のフォルダ内の各ファイル数が設定した値以上になったとき、下位の階層の新フォルダの自動増設を行なうライブラリ管理部と、
を有することを特徴とするビデオライブラリー管理装置。
【請求項２】
前記ライブラリ管理部は、あるフォルダ内に格納しているファイル数がゼロになったときは当該フォルダの削除を行ない、前記フォルダ分類テーブルのフォルダ配列の編集を行なう処理部を含む
ことを特徴とするビデオライブラリー管理装置。
【請求項３】
前記記憶部は、ハードディスク装置であることを特徴とする請求項１記載のビデオライブラリー管理装置。
【請求項４】
前記ライブラリ管理部は、さらに、前記複数のフォルダに格納するファイル数を設定するための画面を表示するファイル数設定処理部を含む、
ことを特徴とする請求項１記載のビデオライブラリー管理装置。
【請求項５】
前記ライブラリ管理部は、前記複数のフォルダをジャンル毎に分類し、さらに、下位の階層としてサブジャンル毎に分類して管理している、
ことを特徴とする請求項１記載のビデオライブラリー管理装置。
【請求項６】
それぞれがファイルを格納する複数のフォルダを記憶する記憶部と、前記記憶部内の前記複数のフォルダを管理するフォルダ管理部と、制御部とを有し、この制御部を介してライブラリ管理を行なうビデオライブラリー管理方法において、
前記フォルダ管理部を通じて、階層構造のフォルダ分類テーブルにしたがって前記複数のフォルダを分類して管理し、
前記複数のフォルダ内の各ファイル数が設定した値以上になったとき、下位の階層の新フォルダの自動増設を行なう
ことを特徴とするビデオライブラリー管理方法。
【請求項７】
さらに、あるフォルダ内に格納しているファイル数がゼロになったときは当該フォルダの削除を行ない、前記フォルダ分類テーブルのフォルダ配列の編集を行なう
ことを特徴とする請求項６記載のビデオライブラリー管理方法。
【請求項８】
さらに、所定の操作信号に応じて、前記複数のフォルダに格納するファイル数を設定するための画面を表示する
ことを特徴とする請求項６記載のビデオライブラリー管理方法。
【請求項９】
前記複数のフォルダをジャンル毎に分類し、さらに、下位の階層としてサブジャンル毎に分類して管理する、
ことを特徴とする請求項６記載のビデオライブラリー管理装置。
【請求項１０】
前記複数のフォルダ内の各ファイル数が設定した値以上になり、下位の階層の新フォルダの自動増設を行なったときは、
上位の階層のファイルから下位の階層の新フォルダにファイル移動を行なう
ことを特徴とするビデオライブラリー管理方法。
【請求項１１】
第１のフォルダ内に格納しているファイル数がゼロになったとき当該第１のフォルダの削除を行ない、前記フォルダ分類テーブルのフォルダ配列の編集を行なったときは、
前記第１のフォルダと同格の階層の第２のフォルダのファイルを上位の階層のファイルに移動する、
ことを特徴とする請求項６記載のビデオライブラリー管理方法。
【発明の詳細な説明】
【技術分野】
【０００１】
この発明は、ビデオライブラリー管理方法及び装置に関する。この発明は、例えば記録媒体に対して、ファイルが記録された際、あるいは、記録媒体からファイルが削除された際、ファイル管理が自動的に行なわれ、ユーザにとって、ファイルの状態を分かりやすくすることができるようにした管理方法と装置に係わるものである。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能となっている。
【０００３】
一方、放送方式として、地上アナログ放送、地上デジタル放送、衛星アナログ放送、衛星デジタル放送など、各種の放送方式が実現化されている。
【０００４】
デジタル放送では、新聞や雑誌のテレビ番組表の代わりに、電子番組ガイド（ＥＰＧ）が番組情報として放送されている。この番組情報は、電話回線などのネットワークを介して取得可能となるように検討されている。
【０００５】
最近の記録再生装置は、番組表の中からユーザが予め選択した番組を自動的に録画する、録画予約機能を有する。また、ユーザが、好みのジャンルを設定すれば、自動的に番組表の中から好みのジャンルの番組を検索し、自動的に好みのジャンルの番組を録画する自動録画予約機能も搭載されている。
【０００６】
記録媒体の記憶容量が大きくなればなるほど、録画される番組数（ファイル数）が多くなる。ユーザは、ディスプレイに複数表示された各番組のサムネイルを見ながら、所望の番組（見たいと思う番組）を探すことになる。しかしながら、単純に多くの番組（ファイル）を記録媒体に録画した場合、その後、録画した番組を探し出すのに手間がかかる。
【０００７】
このような問題を改善するために、管理用として、複数のフォルダを用意した映像記憶装置が開発されている（例えば特許文献１）。この装置では、複数のフォルダのうちいずれのフォルダに映像データを記憶するかが、ユーザにより操作部を介して指定される。この結果、ユーザは、格納する映像データをフォルダ毎に分類することができる。よって、所望の映像データ（ファイル）を探すときは、指定したフォルダ内でファイルを探すことになり、所望のファイルを見つけやすくなる。しかし、この装置は、あくまでも最初にユーザが、保存すべきファイルを格納するためのフォルダを指定する作業が必要である。
【特許文献１】特開２００５−２６０５９０公報
【発明の開示】
【発明が解決しようとする課題】
【０００８】
この発明の一実施形態は、ユーザが管理方法を設定することで、フォルダが少なくとも自動的に増設されてファイル管理を行い、ユーザが所望のファイルを探しやすくなるビデオライブラリー管理方法及び装置を提供することを目的とする。
【課題を解決するための手段】
【０００９】
上記の目的を達成するためにこの発明の一面では、それぞれがファイルを格納する複数フォルダを記憶する記憶部と、前記記憶部内の前記複数フォルダを管理するフォルダ管理部と、前記フォルダ管理部を通じて、階層構造のフォルダ分類テーブルにしたがって前記複数フォルダを配列管理するとともに、前記複数フォルダ内の各ファイル数が設定した値以上になったとき、下位の階層の新フォルダの増設を行なうライブラリ管理部と、を有することを基本的とする。
【発明の効果】
【００１０】
上記した手段によると、複数のフォルダが予め設定した分類テーブルに沿って並べられる。また、各フォルダは、格納するファイル数が制限されている。また削除手段を設けることで、ファイル数が設定値を超えた場合は、新たなフォルダが自動増設される。
【００１１】
また削除手段を設けることで、ファイルが削除されてファイルを有しないフォルダは、自動削除される。このために、ユーザは、多くの番組を自動録画しても、再生を希望するとき所望の番組を探しやすくなる。またこの装置では、分類方法を指定するが、フォルダの作成と分類は自動で行われるため、予約毎にフォルダを指定する必要はない。したがって、最初に映像データの保存方法を指定すれば、その後に録画した番組は自動的に、かつ、階層的に分類保存され、番組の検索が容易となる。
【発明を実施するための最良の形態】
【００１２】
以下、図面を参照しながらこの発明の実施の形態を詳細に説明する。図１は、この発明が適用されたテレビジョン受信装置を一例として示している。この発明は、テレビジョン受信装置だけでなく、情報記録再生装置、サーバーなどにも適用できる。１はアンテナであり、チューナ部４に接続される。ディスプレイ２は、液晶あるいはＣＲＴなどによるディスプレイであり、映像及び操作メニュー画面を表示する装置である。リモートコントローラ３は、ユーザが番組の予約やフォルダ分類テーブルの作成等ための操作を行う装置である。リモートコントローラ３は、Ｇコードによる番組予約及び時間やチャンネル等の数字を入力するためのテンキー、再生/録画を指示するための操作ボタン、ＧＵＩ（グラフィックユーザインターフェース）操作のための十字キーなどを備える。
【００１３】
リモートコントローラ３からの操作信号は、操作部９で受信され、制御部１２に送られる。制御部１２は、リモートコントローラ３からの選局操作に応じてチューナ部４を制御する。チューナ部４は、制御部１２からの制御情報に基づいて、チャンネルを選択し、テレビジョン（ＴＶ）放送信号を受信する。チューナ部４は、テレビ放送信号を受信・選局し、音声・映像信号を得る部分である。本実施例では、一例として地上アナログ放送あるはデジタル放送を受信して、復調する装置として示している。
【００１４】
映像処理部５は、チューナ部４で得られた音声・映像信号を記録用の信号に変換（エンコード）する部分である。本実施例では、現在、一般的な規格であるＭＰＥＧ２方式に基づいて変換が行なわれる。変換されたＭＰＥＧ２の映像ファイルは、記憶部６に格納する。
【００１５】
記憶部６は、映像処理部５で変換されたＭＰＥＧ２の映像ファイルを格納する部分であり、具体的には、例えば、ハードディスクである。もちろん、ＤＶＤ（デジタルバーサタイルディスク）やＨＤ-ＤＶＤ（ハイディフィニションＤＶＤ）であってもよい。
【００１６】
映像ファイルは、階層的なフォルダ６ａで管理され、最上位のフォルダをルートフォルダと呼ぶ。映像処理部５で生成された映像ファイルは、特に指示しなかった場合、前記ルートフォルダに格納される。また、記憶部６には、録画した映像ファイルの属性を管理するための「ファイル管理テーブル６ｂ」も格納されている。
【００１７】
再生部７は、記憶部６の映像ファイルを表示用の信号に変換（デコード）する部分である。具体的には、記憶部６の映像ファイル（ＭＰＥＧ２方式で圧縮されたデータ）を読み出し、復号伸長する機能を有し、映像信号を出力部８に出力する。
【００１８】
出力部８は、再生部７の映像と、予約部１０の番組表/操作メニュー画面やフォルダ管理部１１の操作画面をブレンドして、ディスプレイ２に表示する部分である。
【００１９】
操作部９は、リモートコントローラ３からの例えば赤外線によるコマンドを受信し、本装置の操作を行う部分である。予約部１０は、例えばＥＰＧ（電子プログラムガイド）などの番組表を管理しまた出力部８を介して表示する。表示された番組表を元に利用者が番組の録画予約の操作を行うと、その予約情報を管理する部分である。
【００２０】
予約部１０は、ここではでは明示しない、録画時間、チャンネル、録画モード（標準、３倍）等を管理する「番組録画予約テーブル」と、主にタイマー録画で使用する「時計」を有している。
【００２１】
フォルダ管理部１１は、記憶部６におけるフォルダを管理し、フォルダの作成/削除や、映像ファイルの移動、検索や削除を行う部分である。また、フォルダ名、フォルダ内の映像データ名、例えば、ＥＰＧより取得した映像データのジャンル、ＴＶ局コードや放送日といった各映像ファイルの属性（プロパティ）も管理する。映像ファイルの属性は、記憶部６の「ファイル管理テーブル６ｂ」に格納されている。
【００２２】
制御部１２は、再生部７や予約部１０などの各部を統括する制御を行う部分である。この制御部１２は、例えば、予約部１０からの録画予約の要求信号を受けて、チューナ部４、映像処理部５、記憶部６の電源を投入して、チューナ部４に受信チャンネルを設定し、映像処理部５に番組の録画処理を指示する。
【００２３】
＜ライブラリ管理部１３は、少なくとも２つの機能を有する、このライブラリ管理部１３は、ユニークな構成要素である＞
１番目は、操作部９からの入力に従い、「フォルダ分類テーブル１３ａ）」を作成する機能である。具体的には、どのような分類（ジンル）で階層フォルダ（フォルダ分類とよぶ）を作成かを指定することができる。また、各フォルダに幾つまで映像ファイルを格納できるか（格納ファイル数上限とよぶ）を指定することができる。
【００２４】
２番目は、前記フォルダ分類テーブルに従い、必要に応じてフォルダ管理部１１を用いて、新たにフォルダを作成することができる。そして、フォルダ間で映像ファイルを移動制御することで、記憶部６の映像ファイルを、フォルダ分類テーブルに分類し、格納することができる。また、フォルダを削除することも可能である。
【００２５】
次に、図２，図３を参照して、上記した装置の動作例を説明する。図３は、図２のステップＳ５の部分を詳しく示している。
【００２６】
＜図２において、ステップＳ１〜Ｓ２について説明する＞
図２において、ステップＳ１〜Ｓ２は、「フォルダ分類テーブル」の編集が行なわれるステップである。編集処理には新規作成と修正がある。初期状態では、「フォルダ分類」はルート（予約語）のみ定義されている。本実施例の場合、フォルダ分類では、例えば、ジャンル、サブジャンル、ＴＶ局コード、放送日のいずれかのキーワードが定義されている。ユーザは、映像ファイルを分類したいと考えるフォルダの階層（あるいはフェーズ）に対して、それぞれキーワードを指定する。ジャンル、サブジャンルは、公知のＥＰＧから取得できるジャンルの分類に対応する。そして、フォルダ分類テーブルが決まると、各フォルダに格納可能なファイル数の上限である「格納ファイル数上限」を指定する。
【００２７】
図４には、ＥＰＧで取得できるジャンルの例を示す。ＥＰＧではアルファベットと数字の２文字で、番組のジャンルを分類している。最初の英字が大分類で、次の英字または数字が小分類を示している（例えば最初の１字がＣであれば大分類が映画であることを示し、次の１字が１であれば小分類は邦画であることを示す）。
【００２８】
まず、キーワードの「ジャンル」を指定した場合、必要に応じて、大分類（ドラマ、映画、スポーツ等）でフォルダが作成される。次の階層として、キーワードの「サブジャンル」を指定した場合は、必要に応じて、さらに小分類（邦画、洋画、サッカー、野球等）でフォルダが作成されて、映像ファイルが分類格納される。
【００２９】
ジャンル、サブジャンルは、単独で指定できるが、同時にジャンル、サブジャンルを指定する場合は、ジャンルよりも下位階層でサブジャンルを指定するものとする。なお、本実施例では、ＴＶ局コードは便宜上、チャンネル番号としている。
【００３０】
分類が必要となるか否かを判断するパラメータが、「格納ファイル数上限」である。「格納ファイル数上限」はフォルダ毎に指定する数である。あるフォルダに格納する映像ファイルの数が、「格納ファイル数上限」を超えたときに、分類処理が起動する。
【００３１】
「格納ファイル数上限」は、利用者自身が把握できると考える数を任意に指定できるが、通常、映像ライブラリのサムネイル表示が１画面に収まるファイル数を指定するほうが好ましい。
【００３２】
図５に「フォルダ分類テーブル」の例を示す。初期状態では、フォルダ分類は「ルート」のみ設定されており、「格納ファイル数上限」はブランクとなっている。ブランクは、「格納ファイル数上限」がないことを示す。すなわち、映像ファイルは、録画の度に、ルートフォルダに追加格納されていく状態である（分類は無く、ルートフォルダにのみ映像ファイルが存在する状態）。
【００３３】
この状態で、図６に示すように、「ジャンル→サブジャンル→ＴＶ局コード→放送日」の順番（ルートからの階層順）を指定し、各フォルダ分類に対する格納ファイル数上限を「3→3→2→5→10」と指定する。この指定により、例えば、「ルートフォルダ」の映像ファイルが４つになった時点で、必要に応じて、ジャンルに対応する「ドラマ、映画、スポーツ、芸能、音楽」など映像ファイルを格納すべきフォルダが作成され、映像ファイルがルートから適切なフォルダへ移動する（既にフォルダが存在した場合は移動のみ行なわれる）。
【００３４】
上記した図６のファイル数は、ユーザが例えばリモートコントローラ３を操作して設定することができる。メニュー画面がディスプレイ２上に表示されたとき、たとえば、「フォルダ内のファイル数設定」と言う項目をユーザが選択することにより、図６に示すようなテーブルが表示される。ユーザは、各ブランク部分にリモートコントローラ３のテンキーを操作して、ファイル数を設定する。このファイル数設定処理部もライブラリ管理部１３内に設けられ、制御部１２の動作と相俟って実行される。
【００３５】
＜図２に戻り、次のステップＳ３〜Ｓ５について説明する＞
録画ボタン→停止ボタンが押された場合、あるいは、予約録画が実行された場合に、新規の映像ファイルが生成される（ステップＳ３）。映像ファイルは、まず、記憶部６の「ルートフォルダ」に格納される。同時に「ファイル管理テーブル」に映像ファイルの属性が追記される（ステップＳ４）。新規の映像ファイルが作成された場合は、「ルートフォルダ」を「カレントフォルダ」として、フォルダの「リストラクチャ処理（後述）」が起動する（ステップＳ５）。
【００３６】
ステップＳ６では、電源がオフ（ＯＦＦ）であれば処理を終了し、そうでなければ録画ボタンが押されるか、予約録画の時間になるまで、待機する。
【００３７】
上記リストラクチャ処理（ステップＳ５）は、処理が複雑なため、フローチャートを分けて説明することにする。今、図７（Ａ）に示すように、初期状態として、ルートフォルダに対してファイルとして、movie001.mpeg〜movie003.mpegが格納されているものとする。そして、録画により、映像ファイルmovie004.mpeg〜movie010が追加される場合を一例として説明する。この追加があった場合は、フォルダの「リストラクチャ処理」が実行される。
【００３８】
図７（Ｂ）、図８（Ｂ）、図９（Ｂ）には、各フォルダ構造が、画面上でどのようにサムネイル表現されるかも付記した。本実施例では、サムネイル表示のフォルダを選択すると、下の階層の映像ファイルあるいはフォルダが表示される。また、サムネイル表示の映像ファイルを選択し実行を指示した場合は、映像ファイルの再生を実行する。
【００３９】
図１０には、本実施例で使用する各映像ファイルのプロパティ（属性）の例を示す。図１０は、フォルダ管理部１１が管理している「ファイル管理テーブル」の例であり、図３のフローチャートのステップＳ５６において、映像ファイルを格納するフォルダを決定するために参照される。
【００４０】
＜図３に戻り、ステップＳ５１以後について説明する＞
ステップＳ５１：新規に録画された映像ファイルmovie004.mpegは、まず、ルートフォルダに格納される（ステップＳ４）。既に、ルートフォルダには、movie001.mpeg〜movie003.mpegの３つの映像ファイルがあるため、合計４つの映像ファイルがルートフォルダに格納されていることになる。この状態で、フォルダ分類テーブル（図６）を、カレントすなわちルートで参照し、格納ファイル数上限＝３を得る。
【００４１】
ステップＳ５２：カレント（ルート）フォルダの格納ファイル数上限＝３に対して、現在のファイル数は４のため、ステップＳ５３へ移行する。
【００４２】
ステップＳ５３：初期状態では、ルートフォルダ以外にフォルダは存在しないため、分類フォルダ作成ステップであるステップＳ５４へ移行する。
【００４３】
ステップＳ５４：フォルダ分類テーブル（図６）で、ルートフォルダの次の階層はジャンルであるため、分類対象となるカレント（ルート）フォルダの映像ファイルmovie001.mpeg〜movie004のプロパティを調べる。図１０に示す「ファイル管理テーブル」からわかるように、movie001.mpeg〜movie004のプロパティは、ジャンルは「映画」と「音楽」という情報を得る。すなわち、分類対象となるファイルの所属するジャンルは、「映画と音楽」のため、新しいフォルダとしてフォルダ「映画」及び「音楽」を作成する。
【００４４】
ステップＳ５５〜Ｓ５８：カレント（ルート）フォルダから映像ファイルを１つずつ取り出す。そして各映像ファイルのジャンルに対応する下位階層のフォルダ「映画」と「音楽」へ、取り出した映像ファイルを移動する（図８（Ａ）、図８（Ｂ））。カレント（ルート）フォルダのすべてのファイルを移動した時点で、ステップＳ５９へ移行する。
【００４５】
ステップＳ５９：この時点で、カレント（ルート）フォルダの下位階層のフォルダは「映画」と「音楽」のため、まず、カレントフォルダを「映画」にセットして、ステップＳ５１からステップＳ５９を再帰的に実行する。前記再帰的実行が完了したら、次にカレントフォルダを「音楽」にセットして、ステップＳ５１からステップＳ５９を再帰的に実行する。但し、この時点で映像ファイルは４つしか格納されていないため、これら再帰的実行によって、「映画」及び「音楽」の下にフォルダが作成されることは無い。
【００４６】
さらに、movie005.mpegが録画されると、同ファイルのジャンルは「映画」であり、まず、「映画」のフォルダに分類格納される。この時点で、「映画」フォルダの映像ファイル数は４となり、その時点で、「ジャンルの格納ファイル数上限＝３」を超えることになる。このときは、「映画」フォルダの下に、「邦画」、「洋画」のフォルダ９０４、９０５が作成されて、「映画」フォルダの下のファイルは、さらに、「邦画」、「洋画」のフォルダ９０４、９０５へ移動される（図９（Ａ））
このフローを繰り返すことにより、movie001.mpeg〜movie010.mpegの１０個の映像ファイルは、最終的に図１１の様に分類格納される。これにより、録画された映像ファイルは、その数が増えるにつれて、適切に分類された階層フォルダに適宜格納されていくため、利用者は、常に、自身の決めた分類で、自身の決めた数の映像ファイルから映像を検索することになり、所望の映像ファイルの検索が容易となる。
【００４７】
まとめると、以下のようになる。図６に示すように、ユーザは、初期設定において、ルートフォルダに３、ジャンルフォルダに３、サブジャンルのフォルダに２、・・・・と言う風に各フォルダに格納されるファイル数を制限することができる。このファイル数入力画面は、たとえば、メニュー画面においてフォルダ部類テーブルを読み出すことで、得られる。
【００４８】
図７（Ａ）、図８（Ｂ）、図９（Ａ）では、ルートフォルダ９０１に最初は、ファイルｍｏｖｉｅ００１．ｍｐｅｇ，ファイルｍｏｖｉｅ００２．ｍｐｅｇ，ファイルｍｏｖｉｅ００３．ｍｐｅｇ（ジャンルは映画（サブジャンルは邦画）），が記録されていたことを示している。ここで、さらに、ファイルｍｏｖｉｅ００４．ｍｐｅｇ（ジャンル音楽番組）が，記録されたために、映画フォルダ９０２と、音楽フォルダ９０３が増設された様子を示している。そして、映画フォルダにファイルｍｏｖｉｅ００１．ｍｐｅｇ，ファイルｍｏｖｉｅ００２．ｍｐｅｇ，ファイルｍｏｖｉｅ００３．ｍｐｅｇが移動され、新たな音楽フォルダ９０３にファイルｍｏｖｉｅ００４．ｍｐｅｇが格納された様子を示している（図８（Ａ））。その後、さらにファイルｍｏｖｉｅ００５．ｍｐｅｇ（ジャンルは映画（サブジャンルが洋画））が録画され、フォルダ管理が行なわれた様子が図９（Ａ）に示されている。映画フォルダの階層では、フォルダの格納ファイル数が、最大３に制限されている。このために、ファイルｍｏｖｉｅ００５．ｍｐｅｇが録画されたとき、サブジャンルで分類が行なわれ、映画フォルダ９０２の下位の層に、邦画フォルダ９０４と洋画フォルダ９０５が増設される。そして、邦画フォルダ９０４にファイルｍｏｖｉｅ００１．ｍｐｅｇ，ファイルｍｏｖｉｅ００２．ｍｐｅｇ，ファイルｍｏｖｉｅ００３．ｍｐｅｇが移動され、洋画フォルダ９０５に、ファイルｍｏｖｉｅ００５．ｍｐｅｇが格納される。図９（Ｂ）には、ディスプレイ２の画面１０００に、フォルダ９０２、９０３がアイコンとして表示された様子を示している。ここで、ユーザがフォルダ９０２をカーソルで選択して、クリックしたとき、フォルダ９０２の下位の層のフォルダ９０４、９０５が表示された様子を示している。
【００４９】
上記した実施の形態では、映像ファイルの録画が行なわれる毎に、フォルダが増加してゆく場合の処理を示した。しかし逆に、既に格納されている映像ファイルが、視聴済み等により不要になり、消去された場合も編集処理が行われる。この場合は、映像ファイルを下位フォルダから上位フォルダに移動させながら、下位フォルダの削減処理が実行される。
【００５０】
また、上記の実施の形態では、フォルダの分類を「ジャンル」、「サブジャンル」、「ＴＶ局コード」、「放送日」とした。しかしこれに限らず、システムから取得して属性として記録することができる「時間帯」や「曜日」、あるいは、実施例では使わなかった「出演者」といったＥＰＧの分類を指定する方法であってもよい。
【００５１】
さらに、実施例では、地上波放送を受信する場合の処理を示したが、もちろん、本発明は、衛星放送やケーブルテレビのアンテナ＋チューナ/CATVチューナを組み合わせることで実施することも可能である。加えて、実施例では地上アナログ放送の場合の処理を示したが、地上デジタル放送であれば、番組と同時に放送されるデータ放送のうち、番組内容と関連する情報により映像ファイルを分類格納することも、もちろん可能である。
【００５２】
従来の技術では、番組予約を自動化する製品（まかせてまる録）はあるが、録画した番組の整理を自動化する製品はない。また、手動ではあるが、録画した番組の整理を行える製品でも、フォルダをつくり、番組を移動するだけであり、その作業は煩雑である。特に、録画時間が長く、膨大な番組を録画できる装置、例えば、テラバイトクラスの大容量のＨＤＤを内蔵するＨＤＤレコーダでは、録画される番組も膨大となるため、所望の映像の検索が特に困難となり、本発明の効果が大きい。
【００５３】
＜ファイルが削除されたときのフォルダ管理について説明する＞
図１２には、図９（Ｂ）の画面１０００で示した洋画フォルダ９０５がクリックされ、サムネイル９０５ａが表示された様子を示している。サムネイルの横、或いは下部には、ファイル名としてｍｏｖｉｅ００５．ｍｐｅｇが表示されている。ここで、ユーザが例えば、カーソルを操作し、ファイルｍｏｖｉｅ００５．ｍｐｅｇを選択し、削除キーを操作したとする。すると、ファイルｍｏｖｉｅ００５．ｍｐｅｇの削除が行なわれる。この例であると、洋画フォルダ９０５は、空のフォルダとなる。さらに洋画フォルダ９０５と同じ階層であって、洋画フォルダ９０５の他に、１つの邦画フォルダ９０４しか存在しない。
【００５４】
このような場合は、邦画フォルダ９０４内のファイルｍｏｖｉｅ００１．ｍｐｅｇ，ファイルｍｏｖｉｅ００２．ｍｐｅｇ，ファイルｍｏｖｉｅ００３．ｍｐｅｇが、上位の層の映画フォルダ９０２に移動される。この結果、洋画フォルダ９０５と邦画フォルダ９０４は、不要となり削除される。
【００５５】
図１３のフローチャートは、上記したような動作、つまりフォルダの増設と、フォルダの削除処理の動作を示している。ステップＳＡ１−ＳＡ４の処理は、フォルダの増設・削減処理は不要な場合のルーチンである。ステップＳＡ５−ＳＡ７の処理は、フォルダを増設するときルーチンである。またステップＳＡ８−ＳＡ１１の処理は、フォルダを削除するときのルーチンである。
【００５６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００５７】
【図１】この発明に係るテレビジョン受信装置の構成例を示すブロック図である。
【図２】図１の装置の動作例を説明するために示したフローチャートである。
【図３】図２のフローチャートの一部をさらに詳しく示したフローチャートである。
【図４】映像ファイル（番組）のプロパティを得るための一例となるＥＰＧ情報を示す図である。
【図５】フォルダ分類テーブルの初期状態を示す説明図である。
【図６】フォルダ分類テーブルの各フォルダに格納されるファイルの上限数を設定した例を示す図である。
【図７】この発明の装置で用いられるフォルダとこのフォルダに格納されているファイルのサムネイルの表示例を示す説明図である。
【図８】この発明の装置で用いられるフォルダとこのフォルダに格納されているファイルのサムネイルの別の表示例を示す説明図である。
【図９】この発明の装置で用いられるフォルダとこのフォルダに格納されているファイルのサムネイルのさらに別の表示例を示す説明図である。
【図１０】この発明の装置で用いられる映像ファイルのプロパティ（属性）の例を示す図である。
【図１１】この発明の装置で構築されるフォルダの階層の例を示す図である。
【図１２】この発明の装置で表示される表示画面が変遷する様子を示す説明図である。
【図１３】この発明の装置の動作例を示すフローチャートである。
【符号の説明】
【００５８】
１・・・アンテナ、２・・・ディスプレイ、３・・・リモートコントローラ、４・・・チューナ部、５・・・映像処理部、６・・・記憶部、７・・・再生部、８・・・出力部、９・・・操作部、１０・・・予約部、１１・・・フォルダ管理部、１３・・・ライブラリ管理部。
【図１】
2007334984.tif 000003
【図２】
2007334984.tif 000004
【図３】
2007334984.tif 000005
【図４】
2007334984.tif 000006
【図５】
2007334984.tif 000007
【図６】
2007334984.tif 000008
【図７】
2007334984.tif 000009
【図８】
2007334984.tif 000010
【図９】
2007334984.tif 000011
【図１０】
2007334984.tif 000012
【図１１】
2007334984.tif 000013
【図１２】
2007334984.tif 000014
【図１３】
2007334984.tif 000015